【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
複数のフレーム画像からなる、被写体の動態画像のデータを取得する画像取得手段と、
前記動態画像のデータを解析し、解析結果データを生成するデータ解析手段と、
確認目的を指定する目的指定手段と、
前記動態画像のデータに基づく動態画像と前記解析結果データに基づく動態解析画像のいずれか、及び前記解析結果データに基づく解析値と前記解析結果データに基づく解析グラフのいずれかを、前記確認目的に基づいて選択する選択手段と、
を備えることを特徴とする画像表示制御システム。
【請求項２】
前記選択手段は、前記解析グラフを選択し、
前記解析グラフは、前記複数のフレーム画像間の経時変化を示すグラフであることを特徴とする請求項１に記載の画像表示制御システム。
【請求項３】
前記解析グラフは、前記解析値に基づいて生成されるグラフであることを特徴とする請求項１又は２に記載の画像表示制御システム。
【請求項４】
前記データ解析手段は、種別の異なる複数の解析結果データをそれぞれ生成することが可能であり、
前記確認目的に、前記解析結果データの種別を少なくとも一つ以上紐づけて保存しておく確認目的管理手段を備え、
前記選択手段は、前記動態画像のデータと複数の前記解析結果データのうち、前記確認目的に紐づけられたデータを選択することを特徴とする請求項１から３のいずれか一項に記載の画像表示制御システム。
【請求項５】
前記確認目的管理手段は、表示に用いられる表示部の数、表示するボタン、画面のレイアウト、データの表示タイミング、データの表示順序、データの表示時間、表示サイズ、表示の際の配色、操作部への機能の割り当て、画像の撮影時期のうちの少なくとも一つを前記確認目的と紐づけて保存していることを特徴とする請求項４に記載の画像表示制御システム。
【請求項６】
前記確認目的には、静止した被写体と動いている被写体とを比較する単純動態比較、あ
る状態における被写体と他の状態における被写体とを比較する動態比較、被写体内の特定構造物の動きを観察する構造物観察、被写体内の血管の状態を観察する血管観察、被写体の過去からの状態の変化を観察する経過観察、救急患者の異変部位の特定する救急のうちの少なくとも一つが含まれていることを特徴とする請求項１から５のいずれか一項に記載の画像表示制御システム。
【請求項７】
前記目的指定手段は、データ解析手段が生成した解析結果データもしくは検査情報に基づいて自動で、又は動態画像の取得前もしくは取得後に操作者によってなされた操作に基づいて手動で前記確認目的を指定することを特徴とする請求項１から６のいずれか一項に記載の画像表示制御システム。
【請求項８】
前記選択手段は、前記動態画像又は前記動態解析画像を構成する複数のフレーム画像の中から解析結果に基づいて特定された特定フレーム画像を選択することを特徴とする請求項１から７のいずれか一項に記載の画像表示制御システム。
【請求項９】
前記特定フレーム画像は、前記複数のフレーム画像のうち、前記解析値が最大のフレーム画像、前記解析値が最小のフレーム画像、前記解析値が平均値と一致するフレーム画像、前記解析値が所定範囲内にあるフレーム画像、もしくは所定値と一致するフレーム画像、又は操作者によって選択されたフレーム画像であることを特徴とする請求項８に記載の画像表示制御システム。
【請求項１０】
前記特定フレーム画像は、前記複数のフレーム画像のうち、前記解析値が静止画像の解析値に最も近いフレーム画像、又は前記解析値が前記静止画像の解析値から最も離れているフレーム画像であることを特徴とする請求項８に記載の画像表示制御システム。
【請求項１１】
前記解析値には、前記被写体の特定構造物における特定の点の位置、前記特定の点と他の点との間の距離、前記特定構造物の面積、前記特定構造物の体積、前記被写体の所定画素の信号値、前記フレーム画像内の所定範囲における最大信号値、前記所定範囲における最小信号値、前記所定範囲内の全信号値の平均値、心胸郭比、前記フレーム画像内における前記特定構造物の配置角度のうちの少なくともいずれかが含まれていることを特徴とする請求項１から１０のいずれか一項に記載の画像表示制御システム。
【請求項１２】
前記選択手段は、前記確認目的及び検査情報に基づいて、前記動態画像のデータに基づく動態画像及び前記解析結果データに基づく動態解析画像のうちの少なくともいずれかを選択することを特徴とする請求項１に記載の画像表示制御システム。
【請求項１３】
前記検査情報には、撮影の種別、撮影対象部位、検査を依頼した診療科名、被検者の年齢、被検者の性別及び操作者名のうちの少なくともいずれかが含まれていることを特徴とする請求項７又は請求項１２に記載の画像表示制御システム。
【請求項１４】
請求項１から請求項１３のいずれか一項に記載の画像表示制御システムと、
前記動態画像のデータに基づく動態画像と前記解析結果データに基づく動態解析画像のいずれか、及び前記解析結果データに基づく解析値と前記解析結果データに基づく解析グラフのいずれかを表示する表示手段と、を備えることを特徴とする画像表示システム。
【請求項１５】
操作者が行った操作に基づいて、設定されている前記確認目的を変更する目的変更手段を備え、
前記表示手段は、前記目的変更手段が前記確認目的を変更したことに伴い、確認画面のレイアウトを、変更後の確認目的に応じたものに切り替えることを特徴とする請求項１４に記載の画像表示システム。
【請求項１６】
複数のフレーム画像からなる被写体の動態画像のデータを取得する画像取得手段と、
前記動態画像を解析し、解析結果データを生成するデータ解析手段と、
確認目的を指定する目的指定手段と
前記動態画像のデータに基づく動態画像と前記解析結果データに基づく動態解析画像のいずれか、及び前記解析結果データに基づく解析値と前記解析結果データに基づく解析グラフのいずれかを表示する選択表示手段と、
を備えることを特徴とする画像解析装置。
【請求項１７】
コンピューターに、
複数のフレーム画像からなる、被写体の動態画像のデータを取得する処理と、
前記動態画像のデータを解析し、解析結果データを生成する処理と、
確認目的を指定する処理と、
前記動態画像のデータに基づく動態画像と前記解析結果データに基づく動態解析画像のいずれか、及び前記解析結果データに基づく解析値と前記解析結果データに基づく解析グラフのいずれかを、前記確認目的に基づいて選択する処理と、
を実行させることを特徴とする画像表示制御プログラム。
【請求項１８】
複数のフレーム画像からなる、被写体の動態画像のデータを取得する工程と、
前記動態画像のデータを解析し、解析結果データを生成する工程と、
確認目的を指定する工程と、
前記動態画像のデータに基づく動態画像と前記解析結果データに基づく動態解析画像のいずれか、及び前記解析結果データに基づく解析値と前記解析結果データに基づく解析グラフのいずれかを、前記確認目的に基づいて選択する工程と、
を備えること特徴とする画像表示制御方法。
【手続補正２】
【補正対象書類名】明細書
【補正対象項目名】発明の名称
【補正方法】変更
【補正の内容】
【発明の名称】画像表示制御システム、画像表示システム、画像解析装置、画像表示制御プログラム及び画像表示制御方法
【手続補正３】
【補正対象書類名】明細書
【補正対象項目名】０００１
【補正方法】変更
【補正の内容】
【０００１】
本発明は、画像表示制御システム、画像表示システム、画像解析装置、画像表示制御プログラム及び画像表示制御方法に関する。
【手続補正４】
【補正対象書類名】明細書
【補正対象項目名】０００６
【補正方法】変更
【補正の内容】
【０００６】
前記の問題を解決するために、本発明に係る画像表示制御システムは、
複数のフレーム画像からなる、被写体の動態画像のデータを取得する画像取得手段と、
前記動態画像のデータを解析し、解析結果データを生成するデータ解析手段と、
確認目的を指定する目的指定手段と、
前記動態画像のデータに基づく動態画像と前記解析結果データに基づく動態解析画像のいずれか、及び前記解析結果データに基づく解析値と前記解析結果データに基づく解析グラフのいずれかを、前記確認目的に基づいて選択する選択手段と、
を備えることを特徴とする。